(57)【特許請求の範囲】
【請求項１】
筐体と、
前記筐体の表面から窪んだ装着部と、
前記装着部に着脱可能に装着された装着部品と、
前記装着部の開口を閉塞した蓋体と、
前記装着部の底部から窪んだ凹部と、
前記凹部の底をなした電子部品と、
前記電子部品を支持したスタッドボルトと、
前記装着部の底部に敷設され、前記凹部に対向した位置に切り込みと舌状の蓋片とを設けた絶縁シートと、
文字、記号を表示し、前記電子部品に基端部が貼着され、前記凹部内で折り畳まれるとともに、前記蓋片を捲って前記装着部内に引き出し可能な表示ラベルと、
を具備した情報処理装置。
【発明の詳細な説明】
【０００１】
【発明の属する技術分野】
この発明は、例えば、ポータブルコンピュータの機器本体に、当該機器本体に内蔵された電子部品の規格等を表示する表示ラベルを確認可能に設けた情報処理装置に関する。
【０００２】
【従来の技術】
昨今のポータブルコンピュータ等の電子機器は、携帯に便利なように、筐体の薄型化、軽量化とともに、多機能化され、機器本体には各種電子機器、電子部品が密集した状態で配置されている。
【０００３】
機器本体に内蔵された電子部品の一つに、例えば、ＭＤＣ（mobile  audio/modem  daughter  card）ユニットがある。ＭＤＣユニットは、通信機器であり、各国によって規格が異なり、電子機器を輸出する場合には、輸出国の規格の認定を受ける必要がある。しかも、機器本体の一部には規格認定を受けたことを表示する表示ラベルを設ける必要があり、また国によっては表示ラベルを確認できるようにしなくてはならない。
【０００４】
そこで、従来においては、機器本体の底部に表示ラベル確認穴を設け、表示ラベル確認穴に対応する機器本体の内部に規格認定を受けたことを証明する文字等を表示した表示ラベルを設けている。そして、表示ラベル確認穴は、通常は蓋体によって閉塞され、表示ラベルを確認する際には蓋体を開けて内部の表示ラベルを確認するようにしている。
【０００５】
【発明が解決しようとする課題】
しかし、表示ラベル及び表示ラベル確認穴は、機器本体に設けられたＭＤＣユニットの位置またはその近傍に設ける必要があり、場所が制約されている。しかも、機器本体の底部には、バッテリーの装着部、ハードディスクドライブの装着部、ＤＶＤ駆動装置の装着部等が密集して設けられているため、レイアウトの設計が非常に難しい。
【０００６】
また、機器本体の底部に専用の表示ラベル確認穴を設けることは、筐体の構造が複雑となり、専用の蓋体を固定ねじによって固定する必要があることから、部品点数も多くなり、コストアップの原因となるとともに、リサイクル性にも難点がある。
【０００７】
この発明は、前記事情に着目してなされたもので、その目的とするところは、機器本体の筐体の構造の簡素化及び部品点数の低減を図り、リサイクル性を向上できる情報処理装置を提供することにある。
【０００８】
【課題を解決するための手段】
この発明は、前記目的を達成するために、情報処理装置は、筐体と、前記筐体の表面から窪んだ装着部と、前記装着部に着脱可能に装着された装着部品と、前記装着部の開口を閉塞した蓋体と、前記装着部の底部から窪んだ凹部と、前記凹部の底をなした電子部品と、前記電子部品を支持したスタッドボルトと、前記装着部の底部に敷設され、前記凹部に対向した位置に切り込みと舌状の蓋片とを設けた絶縁シートと、文字、記号を表示し、前記電子部品に基端部が貼着され、前記凹部内で折り畳まれるとともに、前記蓋片を捲って前記装着部内に引き出し可能な表示ラベルと、を具備した。
【０００９】
例えば、ハードディスクドライブ等の装着部品を着脱可能に装着する装着部に表示ラベルを設けることにより、装着部品を取り外したときに、表示ラベルを容易に確認でき、機器本体の別な箇所に専用の表示ラベル確認穴を設けることが不要となる。
【００１０】
【発明の実施の形態】
以下、この発明の実施の形態を図面に基づいて説明する。
【００１１】
図１は情報処理装置としてのポータブルコンピュータのディスプレスハウジングを開いた状態の斜視図、図２はポータブルコンピュータの底面図、図３は図２のＡ−Ａ線に沿って断面した分解図、図４は表示ラベル確認穴及び表示ラベルの斜視図である。
【００１２】
図1及び図２に示すように、ポータブルコンピュータ１は、機器本体としてのコンピュータ本体３と、このコンピュータ本体３にヒンジ機構４によって回動可能に支持されたディスプレイユニット５とから構成されている。コンピュータ本体３は、扁平な箱状の筐体６を有しており、この筐体６は、上部開口の角皿状のベース７と、このベース７の上部開口を覆う平板状のカバー８とから構成されている。
【００１３】
カバー８の上面にはパームレスト９、キーボード取付け部１０が設けられ、キーボード取付け部１０にはキーボード１１が設けられている。前記ヒンジ機構４はベース７の幅方向の中間部に固定された下部ヒンジ部材１２とディスプレイユニット５の幅方向の中間部に固定された上部ヒンジ部材１３とをヒンジ軸１４によって回動自在に連結することにより構成されている。
【００１４】
従って、ヒンジ機構４は、コンピュータ本体３及びディスプレイユニット５の幅方向の中間部に設けられており、ヒンジ機構４の左右のコンピュータ本体３とディスプレイユニット５との間には間隙部１５が設けられている。この間隙部１５に位置するコンピュータ本体３の左右両端部にはスピーカボックス１６が左右対称的に設置されている。
【００１５】
スピーカボックス１６はキーボード１１よりも上方に突出して設けられ、スピーカカバー１６ａの上面は円弧面に形成されているが、前記間隙部１５によってディスプレイユニット５の開閉時に、ディスプレイユニット５の下縁とスピーカボックス１６とが干渉しないようになっている。しかも、ディスプレスユニット５を閉じたときに、そのディスプレスユニット５の液晶表示パネル１７を収容するディスプレイハウジング１８の外面がスピーカボックス１６のスピーカカバー１６ａの上面とが面一になるように曲線に形成されている。
【００１６】
コンピュータ本体３の底部、すなわちベース７の下面にはバッテリー装着部２０、ＤＶＤ駆動装置装着部２１及びハードディスクドライブ装着部２２が設けられている。ハードディスクドライブ装着部２２は、図３に示すように、矩形状の凹陥部２３によって形成され、凹陥部２３の底部はその大部分がプリント基板２４によって形成されている。このプリント基板２４の上面には透明な絶縁シート２５が敷設されている。
【００１７】
プリント基板２４の一端部には凹陥部２３内に突出するコネクタ２６が設けられている。凹陥部２３にはハードディスクドライブ２７が着脱可能に設けられ、このハードディスクドライブ２７の一端部にはコネクタ２６に接続されるコネクタ受け２８が設けられ、他端部にはハードディスクドライブ２７を取り外す際の摘み舌片２９が設けられている。従って、ハードディスクドライブ２７を凹陥部２３に収納し、ハードディスクドライブ２７をコネクタ２６方向にスライドさせることにより、コネクタ２６とコネクタ受け２８とが電気的に接続される。凹陥部２３の開口には蓋体３０が着脱可能に設けられており、この蓋体３０は２本の固定ねじ３１によってベース７に固定することができる。
【００１８】
プリント基板２４の略中央部には矩形状に開口する確認窓としての表示ラベル確認穴３２が設けられ、この表示ラベル確認穴３２に対向する絶縁シート２５にはコ字状に切り込みを入れることにより、捲って開口できる舌片状の蓋片３３が設けられている。
【００１９】
表示ラベル確認穴３２に対向する部分にはプリント基板２４にスタッドボルト３４によって支持された電子部品３５が設けられている。従って、電子部品３５の上面はプリント基板２４の上面より低い凹部３６に形成されている。電子部品３５は、例えば、ＭＤＣ（mobile  audio/modem  daughter  card）ユニットがある。ＭＤＣユニットは、通信機器であり、各国によって規格が異なり、電子機器を輸出する場合には、輸出国の規格の認定を受ける必要がある。しかも、機器本体の一部には規格認定を受けたことを表示する表示ラベルを設ける必要があり、また国によっては表示ラベルを確認できるようにしなくてはならない。
【００２０】
そこで、この発明においては、図４に示すように、前記電子部品３５の上部の凹部３６に、電子部品３５が国の規格認定を受けたことを証明する表示ラベル３７の基端部が貼着している。この表示ラベル３７は短冊状で、長手方向と直交する方向の折り目３７ａを有した折り畳んで収納されている。表示ラベル３７には各国の認定証としての文字、記号３８が表示されており、蓋片３３を捲って表示ラベル確認穴３２から表示ラベル３７を引き出すことにより、表示ラベル３７に表示された各国の認定証としての文字、記号３８を確認することができるようになっている。
【００２１】
次に、前述のように構成された情報処理装置の作用について説明する。
【００２２】
コンピュータ本体３のベース７に設けられたハードディスクドライブ装着部２２の凹陥部２３にはハードディスクドライブ２７が装着されており、凹陥部２３の開口は蓋体３０によって閉塞されている。
【００２３】
今、表示ラベル３７に表示された内容を確認しようとした場合、まず、固定ねじ３１を緩めて蓋体３０を取り外して凹陥部２３を開口する。次に、ハードディスクドライブ２７の摘み舌片２９を摘んでハードディスクドライブ２７をコネクタ２６から引き離す方向にスライドさせると、コネクタ２６とコネクタ受け２８とが切り離されてハードディスクドライブ２７を凹陥部２３から取り外すことができる。
【００２４】
ハードディスクドライブ２７を取り外すと、凹陥部２３の底部に絶縁シート２５が露出するとともに、絶縁シート２５が透明であるため、表示ラベル確認穴３２の位置を確認できる。そこで、蓋片３３を捲って表示ラベル確認穴３２から表示ラベル３７を引き出すことにより、表示ラベル３７に表示された各国の認定証としての文字、記号３８を確認することができる。
【００２５】
このように、ハードディスクドライブ２７を着脱可能に収納する凹陥部２３に表示ラベル確認穴３２及び表示ラベル３７を設けることにより、デッドスペースを有効に利用できるという利点があるとともに、コンピュータ本体３の別な箇所に専用の表示ラベル確認穴を設けることが不要となる。従って、構造の簡素化を図ることができるとともに、部品点数の低減が図れる。
【００２６】
前述した実施形態によれば、コンピュータ本体３の底部に設けられた凹陥部２３の底部に表示ラベル３７を確認するための表示ラベル確認穴３２を設けることにより、通常は隠れているため、外観的美観の向上も図れる。
【００２７】
また、凹陥部２３の底部に絶縁シート２５を設け、この絶縁シート２５によって表示ラベル確認穴３２を閉塞しているため、ハードディスクドライブ２７の着脱操作を繰り返しても表示ラベル３７を損傷することはない。
【００２８】
なお、前記実施形態においては、電子機器としてハードディクドライブユニット装着部２２に表示ラベル確認穴３２及び表示ラベル３７を設けたが、バッテリー装着部２０あるいはＤＶＤ駆動装置装着部２１の底部に設けてもよい。また、表示ラベル確認穴３２は開口穴であることに限定されず、表示ラベル３７を確認できる透明窓でもよい。
【００２９】
また、電子部品としてＭＤＣユニット場合について説明したが、規格等を表示する必要のある各種電子部品に適用できる。
【００３０】
なお、情報処理装置としてポータブルコンピュータについて説明したが、この発明はもポータブルコンピュータに限定されるものではなく、各種情報処理装置に適用できる。
【００３１】
【発明の効果】
以上説明したように、この発明によれば、機器本体の筐体の構造の簡素化及び部品点数の低減を図り、リサイクル性を向上できる。
【図面の簡単な説明】
【図１】この発明の第１の実施形態を示し、ポータブルコンピュータのディスプレスハウジングを開いた状態の斜視図。
【図２】同実施形態を示し、ポータブルコンピュータの底面図。
【図３】図２のＡ−Ａ線に沿って断面した分解図。
【図４】同実施形態を示し、表示ラベル確認穴及び表示ラベルの斜視図。
【符号の説明】
１…ポータブルコンピュータ
３…コンピュータ本体
２２…ハードディスクドライブ装着部
２３…凹陥部
２５…絶縁シート
３２…表示ラベル確認穴
３７…表示ラベル
【図１】
0004634668.tif 000002
【図２】
0004634668.tif 000003
【図３】
0004634668.tif 000004
【図４】
0004634668.tif 000005